(57)【要約】【課題】被検体の放射線被曝を抑制することができる放射線画像診断装置を提供する。【解決手段】本発明によれば、透視の開始からフィードバック制御により透視に係るフレーム像が適切な露光になるまでに必要な時間を意味するワンショット透視時間の間だけ透視が実行される。したがって、術者における透視開始の指示から透視終了の指示までに要した時間が短かったとしても、透視はフレームが適切な露光で透視されるまで続行されることになる。このようにすることで、Ｘ線管３のフィードバック制御により露光が適切になる前に透視が終了してしまうことがない。【選択図】図１
2017192430.tif 000002
【特許請求の範囲】
【請求項１】
放射線を被検体に向けて照射する放射線源と、
被検体を透過してきた放射線を検出する検出手段と、
放射線による動画表示である透視の開始および終了を術者に入力させる入力手段を備えた放射線画像診断装置に搭載される  放射線源制御装置であって、
透視が開始されると、前記検出手段の出力に基づいて、透視に係るフレーム像が適切な露光になるように前記放射線源をフィードバック制御する構成となっている放射線源制御装置において、
術者における透視開始の指示から透視終了の指示までに要した時間が所定の時間よりも短い場合、透視の開始からフィードバック制御により透視に係るフレーム像が適切な露光になるまでに必要な時間を意味するワンショット透視時間の間だけ放射線を照射するように前記放射線源を制御することを特徴とする放射線源制御装置。
【請求項２】
請求項１に記載の放射線源制御装置において、
前記検出手段の出力に基づいて、照射開始から前記ワンショット透視時間が経過した時点であるワンショット透視終了時点における透視の露光を透視の実行中に予想する露光予想手段を備え、
前記ワンショット透視終了時点において透視に係るフレーム像が適切な露光とならないと予想される場合、前記ワンショット透視終了時点に撮影されるフレーム像が適切な露光となるようにフィードバック制御の様式を変更することを特徴とする放射線源制御装置。
【請求項３】
請求項１または請求項２に記載の放射線源制御装置において、
前記検出手段の出力に基づいて、前記ワンショット透視終了時点に至る前にフレーム像が適切な露光となった時点で放射線源の放射線照射を終了さることを特徴とする放射線源制御装置。
【請求項４】
請求項１ないし請求項３のいずれかに記載の  放射線源制御装置において、
術者における透視開始の指示から透視終了の指示までに要した時間が所定の時間よりも短いとき、前記ワンショット透視時間の間だけ透視を実行するものと判断し、当該時間が所定の時間よりも長いとき、術者における透視終了の指示があるまで透視を実行するものと判断する判断手段を備えることを特徴とする放射線源制御装置。
【請求項５】
コンピュータに請求項１ないし請求項４のいずれかに記載の放射線源制御装置の各手段として機能させるプログラム。
【請求項６】
請求項１ないし請求項４のいずれかに記載の放射線源制御装置を備えることを特徴とする放射線源。
【請求項７】
請求項１ないし請求項４のいずれかに記載の放射線源制御装置を備えることを特徴とする放射線画像診断装置。
【発明の詳細な説明】
【技術分野】
【０００１】
本発明は、透視モードを備えた放射線画像診断装置およびそれに備えられる制御装置に関するものである。
【背景技術】
【０００２】
医療機関には、様々な医療機器が備えられている。医療機器の一例としては被検体の放射線撮影を行う放射線画像診断装置がある（例えば特許文献１参照）。
【０００３】
図１２は、従来構成の放射線画像診断装置を説明している。従来構成の放射線画像診断装置は、被検体Ｍを載置する天板５２と天板５２の下側に位置している放射線検出器５４と天板５２の上側に位置している放射線源５３とを備えている。
【０００４】
このような放射線画像診断装置には透視モードを備えているものがある。透視とは、被検体Ｍを放射線で動画として表示することを意味している。透視モードの実行中は被検体Ｍの透視像が動画として装置に付属のモニタに写し出されることになる。
【０００５】
このような放射線画像診断装置が透視モードで動作する様子を説明する。術者が透視を開始させる指示を装置に与えると、放射線源５３は、所定の管電圧・管電流で放射線を照射するように制御される。すると、放射線源５３は、ある決まった線量の放射線を天板５２上の被検体Ｍに向けて照射することになる。
【０００６】
しかしながら、適切な条件で透視を開始することが難しい。被検体Ｍの厚みが標準よりも厚すぎると露光不足となり透視動画が黒っぽくなる。また、被検体Ｍの厚みが標準よりも薄すぎると露光過多となり透視動画が白っぽくなる。いずれの場合も、視認性のよい透視が行えない。
【０００７】
そこで、透視モードを備えた放射線画像診断装置は、放射線源５３をフィードバック制御する機能を備えている。すなわち、放射線画像診断装置は、放射線検出器５４の出力に基づいて透視の露光が適切か逐次監視する構成となっている。装置が露光不足と判断した場合は、放射線源５３は、放射線の線量を増やすようにフィードバック制御され、装置が露光過多と判断した場合は、放射線源５３は、放射線の線量を増やすようにフィードバック制御される。従来構成は、標準体型の被検体の撮影に適切な放射線量よりも少ない線量で透視を開始し、それから徐々に放射線量を増やすように放射線源５３をフィードバック制御することで露光の調整を確実に行える様にしている。
【先行技術文献】
【特許文献】
【０００８】
【特許文献１】特開２０１２−１４３４４３号公報
【発明の概要】
【発明が解決しようとする課題】
【０００９】
しかしながら、従来構成の放射線画像診断装置は、以下のような問題点がある。
すなわち、従来構成の放射線画像診断装置は、放射線源のフィードバック制御が十分に機能するような構成となっていない。
【００１０】
被検体Ｍの透視を行う際、被検体Ｍへの被曝はできるだけ少ない方がよい。このような事情があるので、透視は短い時間で終了されることがよくある。すると、放射線源のフィードバック制御により露光が適切になる前に透視が終了してしまうことになる。
【００１１】
装置に付属のモニタには、透視像がリアルタイムに写り込んでいる。透視が終了すると、最後に得られた動画フレームがモニタに表示され続ける状態になる。この表示されている最終的な透視像に基づいて適切な診断を行うのは困難である。モニタに表示されている動画フレームが十分に露光の調整がされていない状態で得られたものだからである。このような状態に至ってしまうと、十分に露光の調整がされた動画フレームを得るのにもう一度初めから透視をやり直さなければならない。すると、先に行った一連の透視動作が無駄となってしまう。つまり、術者が被検体Ｍの放射線被曝を抑制しようとするあまり、余計に無用な被曝が生じてしまうのである。従来構成はこのような事情を考慮した構成となっていない。
【００１２】
本発明は、この様な事情に鑑みてなされたものであってその目的は、被検体Ｍの放射線被曝を抑制することができる放射線画像診断装置を提供することにある。
【課題を解決するための手段】
【００１３】
本発明は上述の課題を解決するために次のような構成をとる。
すなわち、本発明に係る放射線源制御装置は、放射線を被検体に向けて照射する放射線源と、被検体を透過してきた放射線を検出する検出手段と、放射線による動画表示である透視の開始および終了を術者に入力させる入力手段を備えた放射線画像診断装置に搭載される放射線源制御装置であって、透視が開始されると、検出手段の出力に基づいて、透視に係るフレーム像が適切な露光になるように放射線源をフィードバック制御する構成となっている放射線源制御装置において、術者における透視開始の指示から透視終了の指示までに要した時間が所定の時間よりも短い場合、透視の開始からフィードバック制御により透視に係るフレーム像が適切な露光になるまでに必要な時間を意味するワンショット透視時間の間だけ放射線を照射するように前記放射線源を制御することを特徴とするものである。
【００１４】
［作用・効果］本発明によれば、被検体の放射線被曝を抑制することができる放射線画像診断装置を提供することができる。本発明によれば、透視の開始からフィードバック制御により透視に係るフレーム像が適切な露光になるまでに必要な時間を意味するワンショット透視時間の間は透視が実行される。したがって、術者における透視開始の指示から透視終了の指示までに要した時間が短かったとしても、透視はフレーム像が適切な露光になるまで続行されることになる。このようにすることで、放射線源のフィードバック制御により露光が適切になる前に透視が終了してしまうことがない。
【００１５】
また、上述の放射線源制御装置において、検出手段の出力に基づいて、照射開始からワンショット透視時間が経過した時点であるワンショット透視終了時点における透視像の露光を透視の実行中に予想する露光予想手段を備え、ワンショット透視終了時点において透視に係るフレーム像が適切な露光とならないと予想される場合、ワンショット透視終了時点に表示されるフレーム像が適切な露光となるようにフィードバック制御の様式を変更すればより望ましい。
【００１６】
［作用・効果］上述の構成によれば、ワンショット透視終了時点に表示されるフレーム像をより確実に適切な露光にすることができる。
【００１７】
また、上述の  放射線源制御装置において、検出手段の出力に基づいて、ワンショット透視終了時点に至る前にフレーム像が適切な露光となった時点で放射線源の放射線照射を終了さればより望ましい。
【００１８】
［作用・効果］上述の構成によれば、フレーム像が適切な露光となれば、ワンショット透視終了時点に至る前であっても放射線の照射が止む。このように構成すれば、ワンショット透視時の放射線の照射量をより少なくすることができる。
【００１９】
また、上述の  放射線源制御装置において、術者における透視開始の指示から透視終了の指示までに要した時間が所定の時間よりも短いとき、ワンショット透視時間の間だけ透視を実行するものと判断し、当該時間が所定の時間よりも長いとき、術者における透視終了の指示があるまで透視を実行するものと判断する判断手段を備えればより望ましい。
【００２０】
［作用・効果］上述の構成によれば、通常の透視動作と、ワンショット透視に係る動作とを術者の入力により切り替えることができる構成になっている。このような構成とすることで、通常の透視動作も容易に実行することができる。
【発明の効果】
【００２１】
本発明によれば、被検体の放射線被曝を抑制することができる放射線画像診断装置を提供することができる。本発明によれば、透視の開始からフィードバック制御により透視に係るフレーム像が適切な露光になるまでに必要な時間を意味するワンショット透視時間の間だけ透視が実行される。したがって、術者における透視開始の指示から透視終了の指示までに要した時間が短かったとしても、透視はフレーム像が適切な露光になるまで続行されることになる。このようにすることで、放射線源のフィードバック制御により露光が適切になる前に透視が終了してしまうことがない。
【図面の簡単な説明】
【００２２】
【図１】実施例１に係るＸ線画像診断装置の構成を説明する機能ブロック図である。
【図２】実施例１に係るＸ線管制御部の構成を説明する機能ブロック図である。
【図３】実施例１に係るＸ線管制御部が実行するフィードバック制御について説明する模式図である。
【図４】実施例１に係るＸ線管制御部が実行するフィードバック制御について説明する模式図である。
【図５】実施例１に係るＸ線管制御部の動作について説明するタイミングチャート図である。
【図６】実施例１に係るＸ線管制御部の動作について説明するタイミングチャート図である。
【図７】実施例１に係るＸ線管制御部が実行するフィードバック制御について説明する模式図である。
【図８】実施例１に係るＸ線管制御部が実行するフィードバック制御について説明する模式図である。
【図９】実施例１に係るＸ線管制御部が実行するフィードバック制御について説明する模式図である。
【図１０】実施例１に係るＸ線管制御部が実行するフィードバック制御について説明する模式図である。
【図１１】実施例１に係るＸ線管制御部の動作について説明するタイミングチャート図である。
【図１２】従来構成のＸ線画像診断装置について説明する模式図である。
【実施例１】
【００２３】
以降、実施例１に係るＸ線画像診断装置の構成について説明する。なお、実施例１に係るＸ線は本発明の放射線に相当する。また、ＦＰＤは、フラットパネルディテクタの略である。
【００２４】
図１は、本発明に係るＸ線画像診断装置の概要を表している。本発明に係るＸ線画像診断装置は、被検体Ｍを載置する天板２と、天板２の上側に設けられたＸ線を照射するＸ線管３と、天板２の下側に設けられたＸ線を検出するＦＰＤ４とを備えている。Ｘ線管３から照射されたＸ線は、被検体Ｍおよび天板２を透過してＦＰＤ４に入射する。ＦＰＤ４は、このＸ線を検出する構成となっている。Ｘ線管３は本発明の放射線源に相当し、ＦＰＤ４は本発明の検出手段に相当する。
【００２５】
Ｘ線管制御部６は、Ｘ線管３を所定の管電圧・管電流・パルス幅でＸ線を照射するように制御する構成である。Ｘ線管制御部６は、後述のように、透視が開始されるとＦＰＤ４の出力に基づいて透視に係るフレーム像が適切な輝度で表示されるようにＸ線管３をフィードバック制御する構成となっている。Ｘ線管制御部６は本発明のＸ線管制御部に相当する。
【００２６】
画像生成部１１は、ＦＰＤ４から出力された検出信号に基づいて、被検体ＭのＸ線画像を生成する。
【００２７】
主制御部４１は、ＣＰＵにより構成され、種々のプログラムを実行することにより各部６，１１を実現している。なお各部は、これらを個別に実行する演算装置により実現されていてもよい。表示部３１は、被検体Ｍの透視像を表示する目的で設けられている。記憶部３２は、Ｘ線管３の制御に必要なデータ等を記憶する。操作卓３３は、術者の装置に対する各種指示を入力する構成である。
【００２８】
フットスイッチ３４は、術者がＸ線の曝射を指示する構成であり、術者がフットスイッチ３４を足で踏むと、術者はＸ線曝射開始の指示を装置に行ったことになる。この状態の術者がフットスイッチ３４から足を離すと、術者は、Ｘ線曝射終了の指示を装置に行ったことになる。フットスイッチ３４は、Ｘ線による動画撮影である透視の開始および終了を術者に入力させる構成であり、本発明の入力手段に相当する。
【００２９】
図２は、本発明の特徴的な構成であるＸ線管制御部６をより詳細に示したものである。Ｘ線管制御部６は、ＦＰＤ４より送出されたＸ線の検出データに基づいてＸ線管３のフィードバック制御を実行するフィードバック制御部６ａと、ＦＰＤ４より送出されたＸ線の検出データに基づいて後述のワンショット透視終了時点における透視の露出を予想する露出予想部６ｂと、フットスイッチ３４の出力信号に基づいてワンショット透視を行うかどうかを判断する判断部６ｃとを備えている。露出予想部６ｂは本発明の露光予想手段に相当する。判断部６ｃは、術者における透視開始の指示から透視終了の指示までに要した時間が所定の時間よりも短いとき、ワンショット透視時間の間だけ透視を実行するものと判断し、当該時間が所定の時間よりも長いとき、術者における透視終了の指示があるまで透視を実行するものと判断する構成であり、本発明の判断手段に相当する。
【００３０】
図３は、フィードバック制御部６ａが実行するＸ線管３のフィードバック制御について説明している。透視像の表示は、経時的に連続して複数のフレーム像を表示する動画表示となっている。透視像の表示を開始して初めに得られるフレーム像は、露光が適切とは限らない。被検体Ｍの体格によって適切な露光は異なるので、表示前に適切な露光を正確に推し量るのは難しいからである。本発明を理解する目的で、初めに得られたフレームは露光不足であったものとする。露光不足の状態で取得されたフレームは、全体的にコントラストが低く、被検体像が見えづらい。
【００３１】
ＦＰＤ４は、フレーム像の表示がなされるごとにＸ線の検出データをフィードバック制御部６ａに送出し続ける。フィードバック制御部６ａは、送出されてきた検出データに基づいて、現状のＸ線照射が適切な露光量だったかどうかをモニタする。露光が適切だったかどうかは、検出データにおけるＸ線の検出量で分かる。すなわち、露光不足の場合、検出データが示すＸ線の検出量は適切量よりも少なくなる。逆に露光過多の場合は、検出データが示すＸ線の検出量は適切量よりも多くなる。
【００３２】
フィードバック制御部６ａは、ＦＰＤ４の検出データに基づいてフレーム撮影の露光量が適切になるようにＸ線の照射条件を段階的に変更する。すなわち、図３に示すように露光不足となっている場合、フレーム像更新を何回か繰り返していくうちに次第にＸ線量を増加させていくようにＸ線管３を制御し、フレーム表示の露光量を適切なものにしていく。もっとも、露光量は、実際的にはＦＰＤ４が出力する検出データを見なければ分からないので、露光が適切だったかどうかは事後的にしか知り得ない。そこで、フィードバック制御部６ａは、段階的にＸ線量が増加するように制御を行うようにしている。これにより様子を見ながらＸ線管３の照射条件を変更できるので、安全かつ確実にフレーム撮影の露光量を適切なものにすることができる。
【００３３】
このようなフィードバック制御により、表示されるフレームの露光量は、次第に適切になっていき、図３に示すように、フレームに写り込む被検体像の視認性が次第によくなっていく。
【００３４】
図４は、透視像の表示をする間にフレームの露光量がどのように変化していくかを示している。フィードバック制御部６ａは、フレーム像の露光量が適切であるとＸ線管３の照射条件を変更しない。したがって、図４に示すように、露光量は、ある一定の基準まで上昇した後は、これ以上変化することがなくなる。今後は、同じ照射条件でＸ線管３が制御され、透視像は同じ視認性に基づいて被検体Ｍの動きを写し込んだものとなる。
【００３５】
＜透視を実行する２つの目的＞
このような透視像を取得する理由として二つがある。第一は、単に被検体Ｍの透視を行いたい場合である。この場合、１枚のフレームを表示するだけで十分なようにも思われるが、実際には、最初に表示されるフレームの露光量は適切になるかどうか分からない。したがって、適切な露光量で表示された１枚のフレームを得るには、図３で説明したようにしばらく透視を実行させる必要がある。本発明においては、このような透視方法をワンショット透視と呼ぶことにする。
【００３６】
第二の理由は、被検体像が動く様子を観察したい場合である。この場合、フレーム像の露光量が適切なものとなった後、同じ視認性に基づいて被検体Ｍの動きを写し込んだ透視像が表示され続けることになる。本発明においては、このような透視方法を通常透視と呼ぶことにする。
【００３７】
＜本発明の最も特徴的な構成＞
本発明の最も特徴的な構成は、ワンショット透視を行う場合、フレームの露光量は適切となるまで透視を確実に実行することにある。すなわち、ワンショット透視を行う場合は、図４で説明しているワンショット透視時間Ｔｓの間は、確実に透視を続行する構成となっている。ワンショット透視時間Ｔｓとは、透視の実行開始からフレームの露光量が適切となるまでの時間を意味しており、経験的に見積もることができる。後述のように、ワンショット透視時間Ｔｓの間にフレームの露光量は適切とならないことはあるものの、ほとんどの場合、透視開始からワンショット透視時間Ｔｓが経過するとフレームの露光量は適切なものとなっている。
【００３８】
このように、本発明に係るＸ線管制御部６は、術者における透視開始の指示から透視終了の指示までに要した時間が所定の時間よりも短い場合、透視の開始からフィードバック制御により透視に係るフレームが適切な露光で表示されるようになるまでに必要な時間を意味するワンショット透視時間Ｔｓの間だけＸ線を照射するようにＸ線管３を制御する。従ってワンショット透視時間Ｔｓを経過するとＸ線の照射は止む。
【００３９】
図５は、術者がワンショット透視を行おうとするときの動作を説明している。術者がワンショット透視を行おうとするときには、フットスイッチ３４を一度足で踏んだ後すぐに離せばよい。フットスイッチ３４が踏まれると、この時点で術者からＸ線照射開始の指示がなされたことになる。フットスイッチ３４が離されると、この時点で術者からＸ線照射終了の指示がなされたことになる。フットスイッチ３４を通じた術者の指示は、Ｘ線管制御部６に送出される。
【００４０】
本発明に係るＸ線管制御部６は、フットスイッチ３４が踏まれても直ちにＸ線を照射させる制御をＸ線管３に行わない。フットスイッチ３４の出力は、判断部６ｃに送出され、術者の意図を判断する構成となっている。判断が完了するまでＸ線管３からＸ線は照射されない。
【００４１】
フットスイッチ３４が押下された時間が短い場合、判断部６ｃは、術者がワンショット透視を行う意図があるものと判断する。Ｘ線管制御部６は、この判断に基づいてワンショット透視時間ＴｓだけＸ線の照射を行うようにＸ線管３を制御する。フットスイッチ３４が押下された時間が短いかどうかは、フットスイッチ３４の押下が開始された時点（押下開始時点Ｔ０）から押下が終了した時点までの時間が、所定の時間Ｔｃｈｋ未満であるかで判断される。押下された時間が所定の時間Ｔｃｈｋよりも短い場合、Ｘ線管制御部６は、ワンショット透視を行うべく、押下開始時点Ｔ０から時間Ｔｃｈｋ経過後の時点（ワンショット透視開始時点Ｔａ）よりＸ線の照射を開始し、ワンショット透視開始時点Ｔａからワンショット透視時間Ｔｓが経過したワンショット透視終了時点Ｔ１でＸ線の照射を終了するようにＸ線管３を制御する。Ｘ線が照射されている間、Ｘ線管３は上述のフィードバック制御を受けることになる。すると、ワンショット透視終了時点Ｔ１で表示されるフレーム像の露光は適切なものとなる。
【００４２】
この時の表示部３１の動作について説明する。ワンショット透視が開始されたワンショット透視開始時点Ｔａ以降、表示部３１には現在の透視像が写し出され、現状の被検体像の透視像が次々と写し出されることになる。そのうち、ワンショット透視時間Ｔｓが経過して最後のフレーム像が撮影されることになる。このフレーム像は表示部３１に今まで写し出されたどのフレームよりも露光が適切なものとなっている。最後のフレーム像の表示後、ワンショット透視は終了するものの、表示部３１には最後のフレームが継続して写し出され続ける。術者はこれを見て被検体Ｍの様子を検討することができる。
【００４３】
図６は、術者が通常透視を行おうとするときの動作を説明している。術者が通常透視を行おうとするときには、フットスイッチ３４を踏み続ければよい。フットスイッチ３４が押下された時間が長い場合、判断部６ｃは、術者が通常透視を行う意図があるものと判断する。Ｘ線管制御部６は、この判断に基づいて術者がフットスイッチ３４を踏んでいる間連続してＸ線の照射を行うようにＸ線管３を制御する。フットスイッチ３４が押下された時間が長いかどうかは、フットスイッチ３４の押下が開始された時点（押下開始時点Ｔ０）から押下が終了した時点までの時間が、所定の時間Ｔｃｈｋ以上であるかで判断される。押下された時間が所定の時間Ｔｃｈｋよりも長い場合、Ｘ線管制御部６は、通常透視を行うべく、押下開始時点Ｔ０から時間Ｔｃｈｋ経過後のワンショット透視開始時点ＴａよりＸ線の照射を開始し、ワンショット透視開始時点Ｔａから術者がフットスイッチ３４を離した押下終了時点Ｔ２でＸ線の照射を終了するようにＸ線管３を制御する。このとき、Ｘ線管３は上述のフィードバック制御を受けて、表示されるフレーム像の露光は適切なものとなり、そのまま透視が続行される。
【００４４】
この時の表示部３１の動作について説明する。ワンショット透視が開始されたワンショット透視開始時点Ｔａ以降、表示部３１には現在の透視像が写し出され、現状の被検体像の透視像が次々と写し出されることになる。術者はこれを見て被検体Ｍの様子を検討することができる。そのうち、押下終了時点Ｔ２が経過して最後のフレーム像が表示されることになる。最後のフレーム像の表示後、ワンショット透視は終了するものの、表示部３１には最後のフレームが継続して写し出され続ける。
【００４５】
＜露出予想部６ｂの動作＞
このように、本発明によれば、ワンショット透視を行うことで、適切な露光量のフレーム像を取得することができる。しかし、上述しているように、フレーム像の露光量は透視して初めて分かるものであり、露光の調整が必ずしも想定されている通りにできるとは限らない。本発明によれば、より確実にワンショット透視ができるように露出予想部６ｂが設けられている。この露出予想部６ｂは、ワンショット透視の最中にＦＰＤ４より出力されるＸ線の検出データに基づいて、このままフィードバック制御を続けていくと最終的に露光量はどうなるかを予想する構成となっている。したがって、露出予想部６ｂは、ワンショット透視開始時点Ｔａからワンショット透視時間Ｔｓ経過後のワンショット透視終了時点Ｔ１までに動作する構成である。露出予想部６ｂは、ＦＰＤ４の出力に基づいて、照射開始からワンショット透視時間Ｔｓが経過した時点であるワンショット透視終了時点Ｔ１における透視の露光を透視の実行中に予想する構成である。
【００４６】
＜露出不足が予想される場合の動作＞
図７は、露出予想部６ｂがワンショット透視終了時点Ｔ１におけるフレームの露光量が不足すると予想した場合を示している。図７の点線は、フィードバック制御をすることにより予想される露光量の変動を示している。この露光量の変動は、ワンショット透視前に予想しているものであり、標準的な体格の被検体Ｍを透視すると、ほぼこの点線の示す通りに露光量が推移することになる。フィードバック制御は、フレームの露光量が段階的に上昇するようにＸ線管３を制御する。図７の場合、Ｘ線の照射条件を４回変更すれば、露光量は適切量になるものと予想されている。フィードバック制御部６ａは、図７の点線通りに露光量が推移するように設定された制御方法でフィードバック制御を実行する様に設定されている。
【００４７】
ところが、被検体Ｍの体厚が標準よりも厚い場合、ＦＰＤ４に到達するＸ線は、当初予想されるよりも少なくなってしまう。もっとも、この場合においてもフィードバック制御部６ａは、フィードバック制御によりＸ線管３の出力を徐々に上げ、フレーム像の露光を適切量に到達させようとする。しかし、被検体Ｍの体厚が厚い場合、Ｘ線の照射条件を４回変更しても、露光量は適切量にならない。初回のフレーム像の表示時における露光量は予想よりも少なくなっている上、Ｘ線の照射条件の変更１回当たりに上昇する露光量は予想よりも小さいからである。結局、このままのフィードバック制御を続けると、Ｘ線の照射条件を合計９回変更しなければならなくなる。すると、ワンショット透視終了時点Ｔ１におけるフレームの露光量は依然不足したままとなってしまう。
【００４８】
本発明の構成は、このような事態を防ぐ工夫がなされている。すなわち、本発明に係るフィードバック制御部６ａは、露出予想部６ｂがワンショット透視終了時点Ｔ１において露光不足が生じると予想した時点ｔでフィードバック制御の方式を変更する構成となっている。すなわち、図８に示す時点ｔまでは、点線に対応する様式でフィードバック制御を実行していたフィードバック制御部６ａは、フィードバック制御が予想通りに進行していないことを知った時点ｔで、Ｘ線の照射条件の変更１回当たりに上昇する露光量を増加させるようにフィードバック制御の様式を変更してフィードバック制御を続行する。このようなフィードバック制御の様式の変更により、Ｘ線の照射条件を合計４回変更すれば、露光量は適切量になる。
【００４９】
このようにＸ線管制御部６は、ワンショット透視終了時点Ｔ１において透視に係るフレームが適切な露光とならないと予想される場合、ワンショット透視終了時点Ｔ１に撮影されるフレームが適切な露光となるようにフィードバック制御の様式を変更する。
【００５０】
＜露出過多が予想される場合の動作＞
図９は、露出予想部６ｂがワンショット透視終了時点Ｔ１におけるフレームの露光量が過多になると予想した場合を示している。図９の点線は、フィードバック制御をすることにより予想される露光量の変動を示している。この露光量の変動は、ワンショット透視前に予想しているものであり、標準的な体格の被検体Ｍを透視すると、ほぼこの点線の示す通りに露光量が推移することになる。図９の場合、Ｘ線の照射条件を４回変更すれば、露光量は適切量になるものと予想されている。
【００５１】
ところが、被検体Ｍの体厚が標準よりも薄い場合、ＦＰＤ４に到達するＸ線は、当初予想されるよりも多くなってしまう。被検体Ｍの体厚が薄い場合、Ｘ線の照射条件を４回変更すると露光量は適切量を超えてしまう。初回のフレーム像の表示時における露光量は予想よりも多くなっている上、Ｘ線の照射条件の変更１回当たりに上昇する露光量は予想よりも大きいからである。
【００５２】
本発明の構成は、このような事態を防ぐ工夫がなされている。すなわち、本発明に係るフィードバック制御部６ａは、ＦＰＤ４の検出データをモニタし、露光量が適切量となった時点でワンショット透視を終了する。この場合、図１０に示すように、ワンショット透視開始からワンショット透視時間Ｔｓが経過する前にワンショット透視が終了することになる。この場合、最後に撮影されるフレームの露光量は、適切なものとなる。このように、Ｘ線管制御部６は、ＦＰＤ４の出力に基づいて、ワンショット透視終了時点に至る前にフレームが適切な露光となった時点でＸ線管３のＸ線照射を終了させる。
【００５３】
以上のように、本発明によれば、被検体ＭのＸ線被曝を抑制することができるＸ線画像診断装置を提供することができる。本発明によれば、透視の開始からフィードバック制御により透視に係るフレーム像が適切な露光になるまでに必要な時間を意味するワンショット透視時間の間は透視が実行される。したがって、術者における透視開始の指示から透視終了の指示までに要した時間が短かったとしても、透視はフレーム像が適切な露光になるまで続行されることになる。このようにすることで、Ｘ線管３のフィードバック制御により露光が適切になる前に透視が終了してしまうことがない。
【００５４】
本発明は、上述の構成に限られず下記のように変形実施することができる。
【００５５】
（１）上述の構成において、ワンショット透視開始時点Ｔａを超えてフットスイッチ３４が押下され続けた場合、通常透視に移行する構成の記載しかなかったが本発明はこの構成に限られない。図１１に示すように、ワンショット透視開始時点Ｔａからワンショット透視終了時点Ｔ１までの間にフットスイッチ３４が離された場合、ワンショット透視終了時点Ｔ１まで透視を続けるように構成することもできる。ワンショット透視終了時点Ｔ１に至る前に透視を終えてしまうと、これまでのフィードバック制御に係るＸ線照射が無用な被曝になってしまう。本変形例のようにワンショット透視開始時点Ｔａを超えていても、制御様式をワンショット透視に切り替えることにより、無用な被曝を抑制することができる。
【００５６】
（２）本発明に係るＸ線管制御部６は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００５７】
（３）本発明に係るＸ線管制御部６は、Ｘ線管３に備えられていてもよい。
【００５８】
（４）本発明に係るＸ線管制御部６は、Ｘ線画像診断装置に備えられていてもよい。
【符号の説明】
【００５９】
３     Ｘ線管（放射線源）
４     ＦＰＤ（検出手段）
６     Ｘ線管制御部（放射線源制御装置）
６ｂ   露出予想部（露光予想手段）
６     判断部（判断手段）
３４   フットスイッチ（入力手段）
【図１】
2017192430.tif 000003
【図２】
2017192430.tif 000004
【図３】
2017192430.tif 000005
【図４】
2017192430.tif 000006
【図５】
2017192430.tif 000007
【図６】
2017192430.tif 000008
【図７】
2017192430.tif 000009
【図８】
2017192430.tif 000010
【図９】
2017192430.tif 000011
【図１０】
2017192430.tif 000012
【図１１】
2017192430.tif 000013
【図１２】
2017192430.tif 000014